(57)【要約】【課題】生姜等の農作物の収穫作業の省力化と作業能率の向上が図れるものにするとともに、機体を簡易でコンパクトな構成とし、更に、前方視界も良く、機体の操縦性が良好なものとすることを課題とする。【解決手段】歩行操縦用の操縦ハンドル６を機体の後部に設け、駆動回転して機体を前進走行させる走行回転体３，３を機体の左右両側に設け、作物体Ｐを引上げ搬送する引上げ搬送装置１５を前記左右走行回転体３，３より機体左右方向内側に設け、作物体Ｐの茎葉部ＰＬを切断する切断装置１６を前記引上げ搬送装置１５の後部下側に設け、前記引上げ搬送装置１５の後側に排出された茎葉部Ｐ２を機体側方に案内する案内体４０，４０を前記引上げ搬送装置１５の後側から前記走行回転体３，３の後端部より機体前後方向前側を通って前記走行回転体３の左右外側方に至るように設けた。【選択図】図２
2005270038.tif 000002
【特許請求の範囲】
【請求項１】
歩行操縦用の操縦ハンドル６を機体の後部に設け、駆動回転して機体を前進走行させる走行回転体３，３を機体の左右両側に設け、機体の前進走行中に作物体Ｐの茎葉部ＰＬを挟持して後側上方に搬送し作物体Ｐを引上げる引上げ搬送装置１５を前記左右走行回転体３，３より機体左右方向内側に設け、作物体Ｐの茎葉部ＰＬを切断する切断装置１６を前記引上げ搬送装置１５の後部下側に設け、前記引上げ搬送装置１５の後側に排出された茎葉部Ｐ２を機体側方に案内する案内体４０，４０を前記引上げ搬送装置１５の後側から前記走行回転体３，３の後端部より機体前後方向前側を通って前記走行回転体３の左右外側方に至るように設けたことを特徴とする農作物収穫機。
【請求項２】
前記案内体４０，４０の機体左右方向外側部を機体平面視で前記走行回転体３の後端部より機体前後方向後方で機体左右方向外側方に位置する個所まで延長し、該案内体４０，４０の機体左右方向外側部の機体左右方向内側に位置する前記操縦ハンドル６の側部を機体平面視で前記走行回転体３の後端部より後方で機体左右方向内側に位置するように配置して、前記案内体４０，４０の機体左右方向外側部とその左右方向内側の操縦ハンドル６との左右間で前記走行回転体３，３の後端部後方の領域に作業者が入り込んだ状態で立って位置することを可能に構成したことを特徴とする請求項１記載の農作物収穫機。
【請求項３】
前記案内体４０，４０を、上下二段で機体左右方向内側から機体左右方向外側に延びるように設けた棒状部材で構成したことを特徴とする請求項１記載の農作物収穫機。
【発明の詳細な説明】
【技術分野】
【０００１】
本発明は、生姜等の農作物を収穫する農作物収穫機に関するものである。
【背景技術】
【０００２】
生姜などの農作物を収穫する場合、地上にのびる茎葉部をもって上方に引上げて地中にある最終収穫物を引上げる。この引上げ作業は重労働である。例えば、生姜を引上げる場合には、３０ｋｇ程度の引上げ力を要する。この引上げ作業を機械で行うものとして、従来、下記特許文献１に記載されるような、生姜等の農作物を引上げる農作物収穫機がある。この農作物収穫機は、左右にそれぞれ３輪づつで全部で６体の車輪を備え後部に歩行操縦用のハンドルを備えた走行装置と、作物体の茎葉部を挟持して引上げ搬送する後上がり傾斜に設けた引上げ搬送装置と、該引上げ搬送装置の挟持始端部上側に作物体の茎葉部を掻き込む掻き込みホイールを上下多数段に設けた掻き込み装置と、該掻き込み装置で掻き込んだ作物体の茎葉部を切断するカッターを上下複数段に設けた切断装置と、該切断装置で切断された葉先側の茎葉部を掻き込みホイールとガイド体によって掻き込み装置の一側方に放出する茎葉放出手段を設けた構成となっている。収穫作業時には、走行装置により作物体が植生されている畝を跨いだ状態で畝に沿って機体を自走させ、掻き込み装置により作物体の葉先側の茎葉部を掻き込むとともに、その下側の茎葉部を引上げ搬送装置により挟持する。掻き込まれた葉先側の茎葉部は、切断装置により上下複数箇所で切断され、茎葉放出手段によって機体側方に放出される。引上げ搬送装置に挟持された茎葉部は、機体の前進走行とともに後側上方に搬送されて地中にある最終収穫物が引上げられる。引上げ搬送装置の挟持搬送終端部から茎葉部が放出されると、作物体の上方への引上げ作用は解放されて畝上に放出される。切断装置により切断された茎葉部は、上記のように茎葉放出手段によって機体側方に放出されるので、畝上に放出された作物体が切断処理された茎葉部で覆われて畝上に放出された作物体が見えなくなることはなく、引上げ作業の後で作物体を回収するのに支障をきたすことがない。
【特許文献１】特開２０００−３３３５２２号公報
【発明の開示】
【発明が解決しようとする課題】
【０００３】
上記特許文献１の農作物収穫機は、圃場に植生する生姜等の農作物を機械的に引上げ処理するもので収穫作業の省力化が図れるものであり、また、引上げ処理とともに収穫後に不要となる葉先側茎葉部の切断処理が行え、しかも、引上げ処理されて畝上に放出された作物体が切断処理された茎葉部に覆われて見えなくなることがなく、引上げ処理後の作物体の回収作業も容易に行えて、作業能率の向上が図れるものである。
【０００４】
しかし、上記の農作物収穫機は、掻き込み装置と切断装置と茎葉放出手段を、上記のように構成し、更に、引上げ搬送装置の挟持搬送始端部の上側に配置しているので、茎葉切断処理と茎葉放出処理を行う部分が複雑で大きなものとなり、しかも、その部分が機体前部上方に突出する状態となっている。このため、機体の構成が、複雑で大きなものとなり、また、前方視界も悪く、機体の操縦性が良くないものとなっていた。
【０００５】
そこで、本発明は、生姜等の農作物の収穫作業の省力化と作業能率の向上が図れるものにするとともに、機体を簡易でコンパクトな構成とし、更に、前方視界も良く、機体の操縦性が良好なものとすることを課題とする。
【課題を解決するための手段】
【０００６】
本発明は、上記課題を解決するために、以下の技術的手段を講じたものである。
【０００７】
即ち、請求項１記載の発明は、歩行操縦用の操縦ハンドル６を機体の後部に設け、駆動回転して機体を前進走行させる走行回転体３，３を機体の左右両側に設け、機体の前進走行中に作物体Ｐの茎葉部ＰＬを挟持して後側上方に搬送し作物体Ｐを引上げる引上げ搬送装置１５を前記左右走行回転体３，３より機体左右方向内側に設け、作物体Ｐの茎葉部ＰＬを切断する切断装置１６を前記引上げ搬送装置１５の後部下側に設け、前記引上げ搬送装置１５の後側に排出された茎葉部Ｐ２を機体側方に案内する案内体４０，４０を前記引上げ搬送装置１５の後側から前記走行回転体３，３の後端部より機体前後方向前側を通って前記走行回転体３の左右外側方に至るように設けたことを特徴とする農作物収穫機としたものである。
【０００８】
請求項２記載の発明は、前記案内体４０，４０の機体左右方向外側部を機体平面視で前記走行回転体３の後端部より機体前後方向後方で機体左右方向外側方に位置する個所まで延長し、該案内体４０，４０の機体左右方向外側部の機体左右方向内側に位置する前記操縦ハンドル６の側部を機体平面視で前記走行回転体３の後端部より後方で機体左右方向内側に位置するように配置して、前記案内体４０，４０の機体左右方向外側部とその左右方向内側の操縦ハンドル６との左右間で前記走行回転体３，３の後端部後方の領域に作業者が入り込んだ状態で立って位置することを可能に構成したことを特徴とする請求項１記載の農作物収穫機としたものである。
【０００９】
請求項３記載の発明は、前記案内体４０，４０を、上下二段で機体左右方向内側から機体左右方向外側に延びるように設けた棒状部材で構成したことを特徴とする請求項１記載の農作物収穫機としたものである。
【００１０】
従って、この農作物収穫機は、左右の走行回転体３，３の駆動回転により前進走行する。圃場内に機体を移動させたら、作物体Ｐが植生する畝Ｕの左右両側方個所（畝両側の谷部）を左右の走行回転体３，３が通過するように機体を位置させ、機体が作物体Ｐが列状に植生する畝Ｕを跨ぐような状態として機体を前進させる。作業者は、走行回転体３の後方個所に立って移動する機体に追従して歩行移動する。機体の進行方向を変更するなどの操縦操作は、機体と共に歩行移動しながら機体の後部に設けた操縦ハンドル６をもって行う。そして、機体の前進走行中に、左右走行回転体３，３より機体左右方向内側に設けた引上げ搬送装置１５が作物体Ｐの茎葉部ＰＬを挟持して後側上方に搬送し地中にある作物体Ｐの最終収穫物Ｅを引上げる。また、引上げ搬送装置１５の後部下側に設けた切断装置１６が引上げ搬送装置１５の挟持個所より下側の茎葉部ＰＬを切断する。切断装置１６が茎葉部ＰＬを切断すると、引上げ搬送装置１５による作物体Ｐの上方への引上げ作用は解放され、切断個所より下側の根本側部分Ｐ１は畝Ｕ上に放出される。一方、切断個所より上側の葉先側部分Ｐ２は、引上げ搬送装置１５によってその搬送終端部まで搬送され排出される。引上げ搬送装置１５の後側に排出された葉先側部分Ｐ２の茎葉部は、案内体４０，４０によって、引上げ搬送装置１５の後側から走行回転体３，３の後端部より機体前後方向前側を通って走行回転体３の左右外側方に至るように案内され、引上げ処理されて畝Ｕ上に放出された作物体Ｐの根本側部分Ｐ１から左右側方にずれた個所の圃場に切断処理された葉先側部分Ｐ２の茎葉部が排出される。作業者は、走行回転体３の後方を歩行移動するが、引上げ搬送装置１５の後側に排出された葉先側部分Ｐ２の茎葉部は、案内体４０，４０によって作業者の前方を通って機体外側方に案内されて行くことになり、切断処理された葉先側部分Ｐ２の茎葉部が作業者に倒れ掛かってくるようなことが生じにくい。
【００１１】
また、前記案内体４０，４０の機体左右方向外側部を機体平面視で前記走行回転体３の後端部より機体前後方向後方で機体左右方向外側方に位置する個所まで延長し、該案内体４０，４０の機体左右方向外側部の機体左右方向内側に位置する前記操縦ハンドル６の側部を機体平面視で前記走行回転体３の後端部より後方で機体左右方向内側に位置するように配置することで、作業者は、案内体４０，４０の機体左右方向外側部とその左右方向内側の操縦ハンドル６との左右間で走行回転体３の後端部後方の領域に入り込んだ状態で立つことができる。これにより、作業者は、引上げ搬送装置１５の後側に排出された葉先側部分Ｐ２の茎葉部が引上げ搬送装置１５の後側及び案内体４０，４０の前側で詰まった状態になっていないかどうか容易に監視でき、且つ、詰まったときはそれを解消する対応を迅速に行え、しかも、そのような位置に作業者が立っていながらも、引上げ搬送装置１５の後側に排出された葉先側部分Ｐ２の茎葉部は、案内体４０，４０によって作業者の前方を通って機体外側方に案内されて行くので、切断処理された葉先側部分Ｐ２の茎葉部が作業者に倒れ掛かってくるようなことが生じにくい。
【００１２】
更に、前記案内体４０，４０を、上下二段で機体左右方向内側から機体左右方向外側に延びるように設けた棒状部材で構成すると、機体構成の簡略化が更に図れ、また、機体の前方視界も更に良好になって、機体の操縦性が更に良好になる。
【発明の効果】
【００１３】
請求項１記載の発明は、上記構成としたものなので、圃場に植生する生姜等の作物体Ｐを機械的に引上げ処理するもので収穫作業の省力化が図れるものであり、また、引上げ処理とともに収穫後に不要となる葉先側の茎葉部の切断処理が行え、しかも、引上げ処理されて畝Ｕ上に放出された作物体Ｐの根本側部分Ｐ１が切断処理された葉先側部分Ｐ２の茎葉部に覆われて見えなくなることがなく、引上げ処理後の作物体Ｐの根本側部分Ｐ１の回収作業も容易に行えて、作業能率の向上が図れるものである。また、切断手段と茎葉放出手段を簡易でコンパクトに構成でき、機体の前方視界も良く、機体の操縦性が良いものである。更に、機体と共に歩行移動する作業者に、切断処理された葉先側部分Ｐ２の茎葉部が倒れ掛かってくるようなことも生じにくい。
【００１４】
請求項２記載の発明は、上記構成としたものなので、請求項１記載の発明の効果を奏するとともに、案内体４０，４０の機体左右方向外側部とその左右方向内側の操縦ハンドル６との左右間で走行回転体３の後端部後方の領域に作業者が入り込んだ状態で立つことができ、これにより、作業者は引上げ搬送装置１５の後側に排出された葉先側部分Ｐ２の茎葉部が引上げ搬送装置１５の後側及び案内体４０，４０の前側で詰まった状態になっていないかどうか容易に監視でき、且つ、詰まったときはそれを解消する対応を迅速に行え、しかも、そのような位置に立っていながらも、引上げ搬送装置１５の後側に排出された葉先側部分Ｐ２の茎葉部は、案内体４０，４０によって作業者の前方を通って機体外側方に案内されて行くので、切断処理された葉先側部分Ｐ２の茎葉部が作業者に倒れ掛かってくるようなことが生じにくい。
【００１５】
請求項３記載の発明は、上記構成としたものなので、請求項１記載の発明の効果を奏するとともに、機体構成の簡略化が更に図れ、また、機体の前方視界も更に良好になって、機体の操縦性が更に良好になる。
【発明を実施するための最良の形態】
【００１６】
発明を実施するための最良の形態の一つとして、最終収穫物Ｅが地中にある生姜の作物体Ｐを引上げる農作物収穫機を、図示するとともに以下に詳細に説明する。
【実施例１】
【００１７】
圃場の畝Ｕに列状に植生する生姜の引上げ作業をする農作物収穫機を、以下に詳細に説明する。
【００１８】
この農作物収穫機は、図に示すように、走行装置１と、作物体Ｐの引上げ作業を行う作業部Ｗとを設けたもので、走行装置１は機体を機体前方となる進行方向Ｄに向って前進走行させ、その走行中に作業部Ｗが作物体Ｐの引上げ作業を行っていく。これにより、この農作物収穫機は、機体進行方向Ｄにそって列状に並ぶ作物体Ｐを機械的に且つ連続的に引抜いていくことになる。
【００１９】
走行装置１は、左右両側に、走行回転体、即ち、自由回転する前輪２，２と駆動回転する後輪３，３を備え、後側に、エンジン４と、該エンジン４の動力を受けて後輪３，３と作業部Ｗに動力を変速伝動する変速伝動機構を内装したミッションケース５と、歩行操縦用の操縦ハンドル６を備えた歩行操縦型で四輪構成の走行装置で、これにより機体が自走するよう構成している。左右の前輪２，２及び後輪３，３は、作業時に、圃場に形成された畝Ｕを跨いで畝両側の谷部分を走行する。後輪３，３は、機体後部に配置されたエンジン４から動力が伝動されて駆動回転する。具体的には、エンジン４の動力が、エンジン４の前側に配置されエンジン４に連結するミッションケース５内の変速伝動機構に伝動し、該変速伝動機構を経てミッションケース５の左右両側部に装着した車輪伝動ケース７，７内の伝動機構に伝動し、該車輪伝動ケース７，７の下部の左右方向外側方に突出する後輪車軸８，８に伝動して該車軸８，８に取り付けている前記後輪３，３が駆動回転する構成としている。
【００２０】
また、機体の操縦部として歩行型の操縦ハンドル６をその左右の把持部９，９が機体後端上側に位置するように機体後部に設けている。操縦ハンドル６の把持部９，９から前側に延びる左右のハンドルフレーム１０，１０は下方に屈曲してミッションケース５の左右両側部に固着している。また、操縦ハンドル６の近傍には、操縦者の握り操作により操作されるサイドクラッチレバー１１，１１を左右に設けていて、これにより左右の後輪３，３への伝動を個々に遮断するサイドクラッチを操作することができて機体の旋回が容易に行える。更に、後輪３，３への伝動と作業部Ｗへの伝動を遮断する主クラッチを操作する主クラッチ操作レバー１２と、ミッションケース５内の走行伝動部に設けた走行変速装置を、低速前進伝動状態、高速前進伝動状態、後進伝動状態、前後進中立状態に切り替え操作する変速レバー１３も操縦ハンドル６の近傍に配置している。
【００２１】
なお、上記走行装置１は、左右の走行回転体を左右の前輪２，２と左右の後輪３，３で構成しているが、クローラ式走行装置で構成しても良い。
【００２２】
次に、作業部Ｗについて説明する。
【００２３】
作業部Ｗには、作物体Ｐの茎葉部ＰＬを挟持して引上げ搬送する左右一対の引上げ搬送ベルト１４，１４を緩やかに後上がり傾斜した姿勢に設けた引上げ搬送装置１５と、作物体Ｐの茎葉部ＰＬを切断する切断装置１６を設けている。また、引上げ搬送装置１５は、機体平面視で左右の走行回転体２，２；３，３の間に配置するとともに、機体側面視で機体前部側から機体前後中間部付近にかけて後上がり傾斜姿勢で配置している。切断装置１６は、引上げ搬送装置１５の後部下側に配置している。更に、切断装置１６により切断されて根本側部分Ｐ１から切り離され引上げ搬送装置１５の後端部から排出される葉先側部分Ｐ２を受ける茎葉受け台１７を設け、該茎葉受け台１７の下側に、ミッションケース５の前部から機体前方へ後上がり姿勢で延びる左右のフレーム１９，１９を配置し、該左右のフレーム１９，１９とミッションケース５の下方に、前記切断装置１６により切断されて地面に落下した根本側部分Ｐ１を機体後方に通過可能とする空間部Ｓを有するように構成している。
【００２４】
更に具体的な構成を説明する。ミッションケース５の前部に、左右の作業部伝動ケース１８，１８と、前方に前下がり傾斜で延びる左右２本のフレーム１９，１９の後端部を固着している。そして、引上げ搬送装置１５は、左右一対の上側の駆動プーリー２０，２０と左右一対の下側の従動プーリー２１，２１、左右の引上げ搬送ベルト１４，１４の内側から支持する複数のローラー２２，２２…を左右に設け、これら左右のプーリー及びローラの周りに、それぞれ引上げ搬送装置１５の搬送体となる引上げ搬送ベルト１４，１４を巻き掛け、左右の引上げ搬送ベルト１４，１４の外周面は機体の左右中央部において互いに接当する状態となるようにしている。そして、ミッションケース５内の動力が伝動フレーム１８，１８内の伝動手段を経て、駆動プーリー２０，２０の駆動側回転軸２３，２３に伝動して、左右の引上げ搬送ベルト１４，１４がその左右中央部側で互いに接当する作物体挟持箇所において機体後方側に移動するように周回駆動される構成としている。前記駆動プーリー２０，２０は、前記左右のフレーム１９，１９の左右間に配置し前記第一作業部伝動ケース１８，１８の下部に固着した第二作業部伝動ケース２４，２４から上方に突出させて支持した駆動側回転軸２３，２３に一体回転するように取付け、前記従動プーリー２１，２１は、前記フレーム１９，１９の前端部に固着した取付け部材から上方に突出させて回転自在に支持した従動側回転軸２５，２５に一体回転するように取付け、前記複数のローラー２２，２２…は、前記駆動側回転軸２３，２３と従動側回転軸２５，２５とにわたって装着された支持部材２６，２６に取付けた複数の支持軸に回転自在に取付けている。支持部材２６，２６は、引上げ搬送ベルト１４，１４の上側に配置しているので、引上げ搬送ベルト１４，１４で挟持搬送される作物体Ｐの茎葉部ＰＬに接触しにくくなっている。このため、作物体Ｐが生姜である場合に、引上げ搬送装置１５が茎葉部ＰＬを挟持搬送しているとき左右横方向に広がるように生育する土中の生姜を割ってしまうことが生じにくくなる。すなわち、地中の生姜が左右に広がって生育していて複数本の茎葉部ＰＬが左右に幅広く並んで生育しているとき、引上げ搬送装置１５は左右に林立する複数の茎葉部ＰＬの中間部付近を左右中央側一箇所に集めて挟持することになるが、このとき、複数のローラー２２，２２…を取り付ける支持部材を引上げ搬送ベルト１４，１４の下側に配置していて、複数のローラー２２，２２…を取り付ける支持部材の端部に左右両端側の茎葉部ＰＬが当たると、左右に広がった生姜の左右両端部を左右内側に引っ張る状態となって、これにより左右に広がった生姜を大きく湾曲させて割ってしまうことがある。しかしながら、本例では、複数のローラー２２，２２…を取り付ける支持部材２６，２６を引上げ搬送ベルト１４，１４の上側に配置しているので、このような問題を回避できる。
【００２５】
引上げ搬送装置１５の挟持始端箇所Ａは、左右の引上げ搬送ベルト１４，１４が左右中央側前部でベルト外周面を互いに接触させ始める個所となり、機体の前進走行中に、この挟持始端部に作物体Ｐの茎葉部ＰＬが入り込んでくると、左右の引上げ搬送ベルト１４，１４が作物体Ｐの茎葉部ＰＬを挟んで後側斜め上方に搬送する。引上げ搬送ベルト１４，１４の機体後方水平方向の移動速度は、作業時の機体前進速度（走行変速装置ＶＣを低速前進伝動状態としたときの速度）と略同じ大きさの速度になるように設定しているので、機体が前進走行していても、引上げ搬送装置１５に挟持搬送される作物体Ｐは畝Ｕに対して前後に倒れず略垂直姿勢のままで上方に引上げ作用を受けることになる。引上げ搬送装置１５の挟持終端箇所は、引上げ搬送装置１５の後端部にあって左右の引上げ搬送ベルト１４，１４が左右中央側後部でベルト外周面が互いに離れ始める個所となり、左右の引上げ搬送ベルト１４，１４が挟持搬送した作物体Ｐの茎葉部ＰＬがこの箇所から排出される。なお、引上げ搬送ベルト１４，１４の機体後方水平方向の移動速度を、作業時の機体前進速度（走行変速装置ＶＣを低速前進伝動状態としたときの速度）よりも１０〜２０％速い速度に設定すると、地中で互いに繋がった状態にある生姜の塊群を機体前進方向前側から引上げるように作用することになり、引上げ時に生姜の塊群が割れるのを生じにくくすることができる。
【００２６】
引上げ搬送ベルト１４，１４の左右一方側を他方側に対して離れる方向に移動可能に構成している。具体的には、左右一方側の引上げ搬送ベルト１４を駆動プーリ２０の回転軸２３を軸に支持部材２６の前側を左右方向外側に回動可能に設けている。作業時は引上げ搬送ベルト１４，１４が互いに接当状態となる位置で固定する固定手段を設け、該固定手段の固定を解除することで左右方向外側への回動が可能となる。これにより、引上げ搬送ベルト１４，１４の間に過大な量の茎葉部ＰＬが入り込んで過負荷状態となってエンジン４が停止してしまったときなどに、引上げ搬送ベルト１４，１４の間に詰まった茎葉部ＰＬを容易に取り除くことができる。ところで、図中の１５ａは、引上げ搬送装置１５の上側を覆うカバーである。
【００２７】
左右の前輪２，２は、上下調節可能に設けている。左右の前輪２，２を下方に位置調節すると、引上げ搬送装置１５の前下がり傾斜が大きくなって、作物体引上げ高さＨが増大し、左右の前輪２，２を上方に位置調節すると、引上げ搬送装置１５の前下がり傾斜が小さくなって、作物体引上げ高さＨが小さくなる。従って、左右の前輪２，２の上下調節機構によって引上げ搬送装置１５の作物体引上げ高さＨを設定調節可能となっている。具体的には、左右の前輪２，２は、前記フレーム１９，１９の前端部左右両側部に取り付けた前輪支持軸２７，２７の左右両端部の前輪支持アーム取付け部２８，２８に、上下に延びる前輪支持アーム２９，２９を装着し、その下端部に前輪車軸３０，３０を設け、これに左右の前輪２，２を回転自在に取り付けている。左右の前輪２，２の上下調節機構は、前輪支持アーム取付け部２８，２８に対する前輪支持アーム２９，２９の取付け高さを調節可能とすることで構成している。図例では、取付け穴と取付けピンで構成しているが、他の構成によって実現してもよい。
【００２８】
切断装置１６は、左右一対の円盤状カッターを左右中央部で一部上下に重なるようにして引上げ搬送装置１５の後部下側に設けた構成としている。切断装置１６の左右の円盤状カッターは、ミッションケース５内からの動力を第一作業部伝動ケース１８及び第二作業部伝動ケース２４，２４内の伝動手段を介して円盤状カッターの回転軸３１，３１に伝動して駆動回転している。左右の引上げ搬送ベルト１４，１４によって挟持搬送される作物体Ｐの茎葉部ＰＬは、その挟持搬送終端個所Ｃまで搬送される手前でその挟持搬送通路を遮るように配置された駆動回転する左右の円盤状カッターで切断作用を受けて切断される。左右の円盤状カッターの前側外周が交差する個所に作物体Ｐの茎葉部ＰＬが搬送されるように設定しているので、ここから切断が開始される。そして、引上げ搬送装置１５の挟持始端箇所Ａから切断装置１６が茎葉部ＰＬを切断する時点の引上げ搬送装置１５の挟持箇所Ｂまでの作物体引上げ高さＨを、引上げ搬送装置１５が作用する前で地中に生育していた作物体Ｐの最終収穫物Ｅの最大深さｄより小さくなるように設定している。具体的には、作物体引上げ高さＨを２〜６ｃｍに設定する。なお、切断装置１６を左右のフレーム１９，１９より下側に位置するように配置することもできる。このようにすると、切断装置１６であるカッターの交換がフレーム１９，１９に妨げられず容易に行え、また、切断された後の根本側部分Ｐ１がフレーム１９，１９に引っかかって引きずって行くようなことが生じにくくなり、一層適確な作業が行える。
【００２９】
従って、この農作物収穫機は、歩行操縦型の走行装置１によって機体を前進走行させ、引上げ搬送装置１５によって作物体Ｐの茎葉部ＰＬを挟持して引上げ搬送する。このとき土中にある作物体Ｐの最終収穫物Ｅも引上げられ、土中に張った根は引きちぎられる。そして、最終収穫物Ｅの底部が地表面より上方に上昇する前に切断装置１６によって茎葉部ＰＬが切断される。このため、最終収穫物Ｅはその上側に土等が被さった状態のままとなる。切断装置１６により切断された後の作物体Ｐの根本側部分Ｐ１は、左右のフレーム１９，１９及びミッションケース５の下方に形成された空間部Ｓを通って機体後方に通過していく。このような作業を行った後、圃場に残された作物体Ｐの根本側部分Ｐ１は、作業者によって圃場から引き抜かれて最終収穫物Ｅが回収されるが、前記作業によって一度引上げられているので、軽い力で容易且つ迅速に取り上げることができ、また、完全に引き抜かれずに最終収穫物Ｅの上側に土等が被さった状態のままで残されているので、乾燥等による品質低下が生じにくい。一方、切断装置１６によって切断されて根本側部分Ｐ１から切り離された葉先側部分Ｐ２は、引上げ搬送装置１５の後端部から排出され、案内体４０，４０に案内されて機体左右方向外側方に放出される。
【００３０】
この農作物収穫機は、前記切断装置１６により切断されて根本側部分Ｐ１から切り離された葉先側部分Ｐ２を引上げ搬送装置１５の終端個所Ｃから機体後方に排出する。そして、その排出された葉先側部分Ｐ２の茎葉部を受ける茎葉受け台１７を設けている。本例において、この茎葉受け台１７は、具体的には、引上げ搬送装置１５の挟持搬送終端個所Ｃの下方箇所から機体の左右両外側に向けて広がる板面を有する板体３２で形成している。この茎葉受け台１７は、引上げ搬送装置１５の挟持搬送終端個所Ｃから放出された葉先側部分Ｐ２の茎葉部を下方から支持するように受け、そして、案内体４０，４０に案内されてその茎葉部を機体の左右外側方の圃場に（畝両側の谷部に）放出される。なお、茎葉受け台１７の後側に、第一作業部伝動ケース１８、ミッションケース５、エンジン４の上側を覆うカバー部３３を形成している。
【００３１】
そして、この農作物収穫機は、歩行操縦用の操縦ハンドル６を機体の後部に設け、駆動回転して機体を前進走行させる走行回転体３，３を機体の左右両側に設け、機体の前進走行中に作物体Ｐの茎葉部ＰＬを挟持して後側上方に搬送し作物体Ｐを引上げる引上げ搬送装置１５を前記左右走行回転体３，３より機体左右方向内側に設け、作物体Ｐの茎葉部ＰＬを切断する切断装置１６を前記引上げ搬送装置１５の後部下側に設け、前記引上げ搬送装置１５の後側に排出された茎葉部Ｐ２を機体側方に案内する案内体４０，４０を設けたものである。
【００３２】
そして、案内体４０，４０は、前記引上げ搬送装置１５の後側から前記走行回転体３，３の後端部より機体前後方向前側を通って前記走行回転体３，３の左右外側方に至るように設けている。また、案内体４０，４０の機体左右方向外側部４０ａ，４０ａを機体平面視で左側後輪３の後端部より機体前後方向後方で機体左右方向外側方に位置する個所まで延長し、該案内体４０，４０の機体左右方向外側部４０ａ，４０ａの機体左右方向内側に位置する操縦ハンドル６の側部（左側把持部９）を機体平面視で左側後輪３の後端部より後方で機体左右方向内側に位置するように配置して、前記案内体４０，４０の機体左右方向外側部４０ａ，４０ａとその左右方向内側の操縦ハンドル６（左側把持部９）との左右間で左側後輪３の後端部後方の領域に作業者が入り込んだ状態で立って位置することを可能に構成している。更にまた、案内体４０，４０を、上下二段で機体左右方向内側から機体左右方向外側に延びるように設けた棒状部材で構成している。なお、図例では、案内体４０，４０は、引上げ搬送装置１５の後側右寄り個所から上方に立ち上がる支柱４１を設け、この支柱４１に、上下に適宜設定した上下間隔で、機体側方に延びる上下の案内体４０，４０を取り付けている。また、上下の案内体４０，４０の上下間は、支柱４１から左右外側方に向けて解放状態に設けている、即ち、上下の案内体４０，４０は、支柱４１への取付個所から各機体左右方向外側部４０ａ，４０ａに至るまで上下互いに連結していない構成なので、案内体４０，４０の後方に位置する作業者が上下の案内体４０，４０の間を通して手を前方に延ばして案内体４０，４０の前側に位置する茎葉部を掴むことができるので、作業者が強制的に葉先側部分Ｐ２の茎葉部を掴んで機体側方に移動させて排出するときに手や腕を容易に動かすことができて、その排出作業が容易且つ迅速に行え、作業能率の向上が図れる。また、案内体４０，４０を、作業時には上記の状態となる作業位置に位置可能に構成し、機体の運搬時や格納時などには、案内体４０，４０の機体からのはみ出し量が少なくなる格納位置に移動可能に設けることもできる。具体的には、例えば、案内体４０，４０を支柱４１を軸に前方或は後方に回動可能に構成することで容易にそれが実現できる。
【００３３】
従って、この農作物収穫機は、左右の走行回転体３，３の駆動回転により前進走行する。圃場内に機体を移動させたら、作物体Ｐが植生する畝Ｕの左右両側方個所（畝両側の谷部）を左右の走行回転体３，３が通過するように機体を位置させ、機体が作物体Ｐが列状に植生する畝Ｕを跨ぐような状態として機体を前進させる。作業者は、走行回転体３の後方個所に立って移動する機体に追従して歩行移動する。機体の進行方向を変更するなどの操縦操作は、機体と共に歩行移動しながら機体の後部に設けた操縦ハンドル６をもって行う。そして、機体の前進走行中に、左右走行回転体３，３より機体左右方向内側に設けた引上げ搬送装置１５が作物体Ｐの茎葉部ＰＬを挟持して後側上方に搬送し地中にある作物体Ｐの最終収穫物Ｅを引上げる。また、引上げ搬送装置１５の後部下側に設けた切断装置１６が引上げ搬送装置１５の挟持個所より下側の茎葉部ＰＬを切断する。切断装置１６が茎葉部ＰＬを切断すると、引上げ搬送装置１５による作物体Ｐの上方への引上げ作用は解放され、切断個所より下側部分の作物体Ｐ１は畝Ｕ上に放出される。一方、切断個所より上側部分の茎葉部Ｐ２は、引上げ搬送装置１５によってその搬送終端部まで搬送され排出される。引上げ搬送装置１５の後側に排出された茎葉部Ｐ２は、案内体４０，４０によって、引上げ搬送装置１５の後側から走行回転体３，３の後端部より機体前後方向前側を通って走行回転体３の左右外側方に至るように案内され、引上げ処理されて畝Ｕ上に放出された作物体Ｐ１から左右側方にずれた個所の圃場に切断処理された茎葉部Ｐ２が排出される。よって、この農作物収穫機は、圃場に植生する生姜等の作物体Ｐを機械的に引上げ処理するもので収穫作業の省力化が図れるものであり、また、引上げ処理とともに収穫後に不要となる葉先側の茎葉部Ｐ２の切断処理が行え、しかも、引上げ処理されて畝Ｕ上に放出された作物体Ｐ１が切断処理された茎葉部Ｐ２に覆われて見えなくなることがなく、引上げ処理後の作物体Ｐ１の回収作業も容易に行えて、作業能率の向上が図れるものである。また、切断手段と茎葉放出手段を簡易でコンパクトに構成でき、機体の前方視界も良く、機体の操縦性が良いものである。更に、機体と共に歩行移動する作業者に、切断処理された茎葉部Ｐ２が倒れ掛かってくるようなことも生じにくい。
【００３４】
また、作業者は、案内体４０，４０の機体左右方向外側部とその左右方向内側の操縦ハンドル６との左右間で走行回転体３の後端部後方の領域に入り込んだ状態で立つことができる。これにより、作業者は、引上げ搬送装置１５の後側に排出された茎葉部Ｐ２が引上げ搬送装置１５の後側及び案内体４０，４０の前側で詰まった状態になっていないかどうか容易に監視でき、且つ、詰まったときはそれを解消する対応を迅速に行え、しかも、そのような位置に作業者が立っていながらも、引上げ搬送装置１５の後側に排出された茎葉部Ｐ２は、案内体４０，４０によって作業者の前方を通って機体外側方に案内されて行くので、切断処理された葉先側の茎葉部Ｐ２が作業者に倒れ掛かってくるようなことが生じにくい。
【００３５】
更に、前記案内体４０，４０を、上下二段で機体左右方向内側から機体左右方向外側に延びるように設けた棒状部材で構成したことにより、機体構成の簡略化が更に図れ、また、機体の前方視界も更に良好になって、機体の操縦性が更に良好になる。
【００３６】
また、この農作物収穫機は、機体後部にエンジン４を配置し、該エンジン４の前側にミッションケース５を配置し、該ミッションケース５の前部に機体前方へ後上がり姿勢で延びる左右のフレーム１９，１９を固着し、該フレーム１９，１９の上側に前記引上げ搬送装置１５を配置し、前記ミッションケース５の左右両側部に走行回転体３，３を駆動する動力を伝動する伝動部材を内装しミッションケース５の底部より下側に延設される伝動ケース７，７を介して左右の後輪３，３を装着した構成としている。また、茎葉受け台１７は、左右のフレーム１９，１９の上側に配置している。これにより、畝Ｕを跨いで走行する機体の左右のフレーム１９，１９とミッションケース５の下方に、切断装置１６により切断され畝Ｕに残される根本側部分Ｐ１を機体後方に通過可能とする空間部Ｓを機体底部に充分に確保することができる。従って、機体がコンパクトに構成されるものでありながら、畝Ｕ上に着地した根本側部分Ｐ１を、大きく倒したり引きずったりせずに機体後方に通過させられ、しかも、切断された葉先側部分Ｐ２が根本側部分Ｐ１の上に落下することも防止される。
【００３７】
本例の農作物収穫機は、引上げ搬送装置１５の挟持始端部に作物体Ｐの茎葉部ＰＬを掻集める茎葉掻集め装置３４を引上げ搬送装置１５の前側に設けている。この茎葉掻集め装置３４は、左右のフレーム１９，１９の各前端部に固着した左右の支持部材３５，３５にそれぞれ取付けた左右の支持フレーム３６，３６の前部と後部とに、それぞれ前側プーリー３７，３７と後側プーリー３８，３８とを軸着し、左右ぞれぞれの前側プーリー３７，３７と後側プーリー３８，３８とに、外周側に突出するラグ３９ａ…を多数有する掻集めベルト３９，３９を巻き掛け、更に、後側プーリー３８，３８の回転軸は、引上げ搬送装置１５の従動プーリー２１，２１と一体回転する回転軸２５，２５の上部に自在継ぎ手を介して連結して構成している。この茎葉掻集め装置３４は、左右の掻集めベルト３９，３９の前側が、左右外側に広がり且つ下位に位置するように傾斜した姿勢で配置している。これにより、掻集めベルト３９，３９は、左右に広がった作物体Ｐの茎葉部ＰＬを引上げ搬送装置１５の挟持始端部に向けて葉を持上げるようにしながら掻集めるように作用する。なお、畝Ｕの大きさや作物体Ｐの茎葉部の左右の広がりの程度に対応して、茎葉掻集め装置３４の左右の掻集めベルト３９，３９の各前部の左右位置及び上下高さを調節可能に設けている。更に、左右の掻集めベルト３９，３９の各前部の左右位置及び上下高さの調節に対応して左右傾斜角度も調節することで、茎葉部の掻き集め作用力が効果的に発揮されるようにも調節できる。また、掻集めベルト３９，３９の周回速度は、その機体後方の分速度が機体の前進速度と略同じ大きさから若干早い速度になるように設定して、掻集めベルト３９，３９が作物体Ｐを前方に押し倒さないようにしている。更にまた、本例では、左右の掻集めベルト３９，３９の各前端部から更に前方に延出するガイド棒４２，４２を設けているので、茎葉掻集め装置３４の大型化を押えつつ、茎葉部の掻集め範囲の拡大が図れる。具体的には、ガイド棒４２，４２は、左右の支持フレーム３６，３６の前部に取り付ける。そして、作業時には、ガイド棒４２，４２の前部が機体前側左右外側方に延びる位置に位置させ、機体の運搬時や格納時には、機体内側或は機体内側後方位置まで移動（例えば、ガイド棒の取付部を軸に回動）させて収納可能に構成することもできる。
【００３８】
また、茎葉掻き集め装置３４を駆動する後側プーリー３８，３８は、引上げ搬送装置１５の従動プーリー２１，２１の上側に設けているので、作物体Ｐが生姜である場合に、引上げ搬送装置１５が茎葉部ＰＬを挟持するとき横側にのびて生育する生姜を割ってしまうことが生じにくくなる。すなわち、地中の生姜が左右に広がって生育していて複数本の茎葉部ＰＬが左右に幅広く並んで生育しているとき、引上げ搬送装置１５は左右に林立する複数の茎葉部ＰＬの中間部付近を左右中央側一箇所に集めて挟持することになるが、このとき、茎葉掻き集め装置を駆動する後側プーリーが引上げ搬送装置１５の従動プーリー２１，２１の下側に設けられていて該後側プーリーが大きく下方に突出していると、その突出部に左右両端側の茎葉部ＰＬが当たると左右に広がった生姜の左右両端部を左右内側に引っ張る状態となって、これにより左右に広がった生姜を大きく湾曲させて割ってしまうことがあり、或いはまた、後側プーリーの下側突出部との当たり箇所を通過して逆に左右両端側の茎葉部ＰＬが大きくたるみ、このため、左右に広がった生姜の左右端側が引上げ搬送装置１５で挟持された茎葉部で引っ張り上げられず、左右中央側箇所だけで引っ張り上げられる状態が生じ、このため左右に広がった生姜が前記とは逆に大きく湾曲して割れてしまうことがある。しかしながら、本例では、茎葉掻き集め装置３４を駆動する後側プーリー３８，３８は、引上げ搬送装置１５の従動プーリー２１，２１の上側に設けているので、このような問題を回避できる。
【００３９】
また、茎葉掻き集め装置３４は、その掻き集め作用部（掻集めベルト３９，３９）の前部が走行回転体（前輪）２，２の前方を横切るように左右に広がっている構成としている。これにより、畝Ｕに生えている作物体Ｐの茎葉部が畝Ｕの左右側方の谷部まで左右に大きく広がっている場合でも、適確に引上げ搬送装置１５の挟持始端部Ａに掻き集められ、且つ、左右に広がった作物体Ｐの茎葉部を走行回転体（前輪）２，２を踏みつけて引上げ作業の妨げとならないようにすることができ、適確な引上げ作業が行えるようになる。
【００４０】
ところで、案内体４３，４３を図４に示すように、引上げ搬送装置１５の後部上で機体平面視で引上げベルト１４，１４の周回内側に位置する個所に取付けて、案内体４３，４３が、機体平面視で引上げ搬送装置１５の引上げベルト１４，１４の周回内側から周回外側後方に延び、更に、左右外側方に延びる状態となるよう設けることで、案内体４３，４３が引上げ搬送装置１５から排出される茎葉部を機体側方に案内するとともに、引上げベルト１４，１４に貼り付いて連れ回りする茎葉部を阻止する作用も生じ、茎葉部の排出を適確に行えるものとなる。なお、図例のように、左右の引上げベルト１４，１４の各周回内側から周回外側に案内体４３，４３を左右それぞれ延出させると一層効果が顕著になり、また、引上げベルト１４，１４の周回内側から引上げベルトの上側と下側の上下両方から引上げベルト１４，１４の周回内側から周回外側に案内体４３，４３を上下それぞれ延出させると一層効果が顕著になる。なお、案内体４３，４３，４３，４３の具体的な取付けは、支持部材２６に取り付ける構成とする。
【００４１】
更に、図５に示すように、引上げ搬送装置１５の挟持終端部Ｃの左右両側方に案内体４４，４４を設け、各案内体４４，４４は、それぞれ機体後方に延び、続いて左右外側方に延びるように設け、更に、中央案内体４５を、左右一方側の案内体４４に沿うように延びるように設け、該中央案内体４５の取付個所と取付姿勢を変更することで、右側の案内体４４に沿って延びる状態と左側の案内体４４に沿って延びる状態とに変更可能に設けることもできる。こうすると、茎葉部の排出方向を左右切換えが可能となり、圃場条件等に応じて選択できる作業行路の自由度が拡大でき、作業性が向上する。なお、案内体４４，４４の具体的な取付けは、支持部材２６に取り付ける構成とする。
【００４２】
図６に示す構成は、引上げ搬送装置１５の左右の引上げベルト１４’，１４’の後部位置を前後にずらした構成である。このようにすると、左右の引上げベルト１４’，１４’が互いに接当する部分が終わる個所から後方に挟持されていた茎葉部が排出され、更に、そこから後方に延びる左右一方側の引上げベルト１４’にて後方に案内されつつ、左右他方側においては引上げベルト１４’がないためにその側に茎葉部が放出されるようになって、機体の一側方へ茎葉部を案内する上記のような案内体なしに茎葉部を機体の一側方に排出できるようになり、機体構成の簡略化が図れる。図中の符号２０’，２０’は、左右の引上げ搬送ベルト１４’，１４’を駆動回転する駆動プーリーを示し、図示省略しているが、左右の引上げ搬送ベルト１４’，１４’は、この駆動プーリー２０’，２０’と前側に設けた従動プーリーと、引上げ搬送ベルト１４’，１４’の内側から支持する複数のローラーとの周りに巻き掛けられて周回動する構成となっている。
【００４３】
図７に示す構成は、引上げ搬送装置１５の後側に排出された茎葉部を機体の左右外側方に移送させる移送手段４５と、該移送手段４５によって移送されてきた茎葉部を後輪３の前方に落下させるシュータ４６を設けた構成である。従った、作物体Ｐから切断された葉先側部分Ｐ２の茎葉部を後輪３が踏みつけていくものとなり、機体側方で葉先側部分Ｐ２の茎葉部が滞留することが生じにくくなり、能率良く作業が行えるものとなる。なお、移送手段４５は、図７に示すような棒材で構成した案内体によって案内するものでもよく、駆動回転する左右一対の挟持搬送ベルトによって移送するものでもよい。
【００４４】
なお、引上げ搬送装置１５の前側の従動プーリ２１，２１を左右外方に移動可能に設けて、引上げ搬送装置１５の挟持始端部Ａより前側で平面視Ｖ字状に広がる左右の引上げ搬送ベルト１４，１４間の隙間を左右に拡大可能に構成したものである。これにより、畝Ｕ上に作物体Ｐが二列で植生している場合でも一対の引上げ搬送ベルト１４，１４で適確に挟持して引上げ作業が行えるようになる。
【図面の簡単な説明】
【００４５】
【図１】農作物収穫機の側面図。
【図２】農作物収穫機の平面図。
【図３】農作物収穫機の断面正面図。
【図４】別の案内体の構成を示す斜視図。
【図５】別の案内体の構成を示す平面図。
【図６】別の引上げ搬送装置の後部の構成を示す平面図。
【図７】シューターを設けた農作物収穫機の平面図。
【符号の説明】
【００４６】
１：走行装置
２，２：前輪（走行回転体）
３，３：後輪（走行回転体）
４：エンジン
５：ミッションケース
６：操縦ハンドル
１４，１４：引上げ搬送ベルト
１５：引上げ搬送装置
１６：切断装置
１７：茎葉受け台
１９，１９：フレーム
４０，４０：案内体
Ａ：引上げ搬送装置の挟持始端箇所
Ｂ：切断装置が茎葉部を切断する時点の引上げ搬送装置の挟持箇所
Ｈ：作物体引上げ高さ
Ｓ：空間部
Ｐ：作物体
ＰＬ：作物体の茎葉部
Ｐ１：作物体の根本側部分
Ｐ２：作物体の葉先側部分
Ｅ：最終収穫物
ｄ：収穫作業前に土中にある最終収穫物の最大深さ
【図１】
2005270038.tif 000003
【図２】
2005270038.tif 000004
【図３】
2005270038.tif 000005
【図４】
2005270038.tif 000006
【図５】
2005270038.tif 000007
【図６】
2005270038.tif 000008
【図７】
2005270038.tif 000009